(57)【特許請求の範囲】
【請求項１】
処理物が導入される投入口が形成された中空構造体と、
前記中空構造体内に形成され、導入された前記処理物を粉砕する粉砕室と、
前記粉砕室の下方に形成され、前記粉砕室から粉砕物が流入する粉砕物流入部と、
前記粉砕室の底面を形成する底板と、
前記粉砕室にまで至るシャフトが取り付けられたモータと、
前記シャフトに取り付けられたランナと、
前記ランナから上方に突出した回転刃取付部を介して前記ランナに回動自在に取り付けられ、前記中空構造体の内壁に向けて延びた可撓性を有する回転刃と、
前記ランナの基部から傾斜隆起して前記回転刃取付部部分まで伸びるスロープと、
前記中空構造体の内壁から突出して固定され、前記回転刃と協働して前記処理物を粉砕する固定刃とを有することを特徴とするディスポーザ。
【請求項２】
処理物が導入される投入口が形成された中空構造体と、
前記中空構造体内に形成され、導入された前記処理物を粉砕する粉砕室と、
前記粉砕室の下方に形成され、前記粉砕室から粉砕物が流入する粉砕物流入部と、
前記粉砕室の底面を形成する底板と、
前記粉砕室にまで至るシャフトが取り付けられたモータと、
前記シャフトに取り付けられたランナと、
前記ランナから上方に突出して前記ランナに回動自在に取り付けられ、前記中空構造体の内壁に向けて延びた可撓性を有する回転刃と、
前記ランナの基部から傾斜隆起して前記回転刃取付部部分まで伸びるスロープと、
前記中空構造体の内壁から突出して固定され、前記回転刃と協働して前記処理物を粉砕する固定刃とを有することを特徴とするディスポーザ。
【請求項３】
前記ランナには、前記回転刃が所定量以上に前記シャフト方向へ回動することを阻止するガイドが設けられていることを特徴とする請求項１または２記載のディスポーザ。
【請求項４】
前記底板の周縁には複数の切り欠きが形成されていることを特徴とする請求項１〜３の何れか一項に記載のディスポーザ。
【発明の詳細な説明】
【０００１】
【発明の属する技術分野】
本発明は、厨芥や発泡トレー、ペットボトル等の処理物を粉砕するディスポーザに関するものである。
【０００２】
【従来の技術】
従来の破砕装置としては特願平１１−２３０２６４号に記載されたものがある。
【０００３】
図５は従来のディスポーザの構造を示す断面図である。
【０００４】
図５に示すディスポーザにおいて、略円筒形をしたホッパ１０５内には、処理物である厨芥（本明細書においては、「処理物」のことを単に「厨芥」ということもある。）が粉砕される粉砕室１２０が形成されている。そして、粉砕室１２０の上方に開口して、厨芥が投入される投入口１０４が設けられている。
【０００５】
投入口１０４には、この投入口１０４を開閉する蓋１０２が着脱自在に取り付けられている。なお、蓋１０２は、厨芥が飛び出さないようにし、また水を通過させるための貫通孔（図示せず）が形成されている。
【０００６】
また、ホッパ１０５の上端外周縁はシンク１０３の底に固定されて流し台に装着されている。なお、シンク１０３の上方には水栓１０１が配置されている。
【０００７】
粉砕室１２０の下方にはモータ１１２が設置されている。モータ１１２から上方に延びるシャフト１１３は粉砕室１２０の下部中央に突出している。そして、モータ１１２のシャフト１１３に固定されたランナ１０７には、モータ１１２により回転される回転刃１０８が粉砕室１２０の壁面に向けて回動自在に取り付けられている。また、ホッパ１０５の内壁面には固定刃１０６が取り付けられている。したがって、回転刃１０８と固定刃１０６とが協働して粉砕処理を行う。
【０００８】
なお、回転刃１０８の下方に位置して、粉砕室１２０の底面を構成する底板１０９が固定されている。
【０００９】
粉砕室１２０とモータ１１２との間には、粉砕室１２０において粉砕された厨芥と水との混合物が流れ込む排水溝１１０が形成されている。排水溝１１０には、粉砕された厨芥を排出するための排水口１１１が連通されている。したがって、排水溝１１０は、回転刃１０８の回転方向と同じ向きに螺旋状に降下して排水口１１１付近で最下点となる構造となっている。
【００１０】
次に、以上のように構成されたディスポーザの動作について説明する。
【００１１】
先ず、蓋１０２を外しディスポーザの投入口１０４よりホッパ１０５の中に生ゴミを投入する。
【００１２】
投入が終了したら蓋１０２を閉め、水栓１０１により水を給水する。水はシンク１０３からディスポーザの投入口１０４を経てホッパ１０５の中に流れ込む。
【００１３】
ディスポーザの運転スイッチ（図示せず）をＯＮにすると、モータ１１２がランナ１０７と回転刃１０８を回転させ、ディスポーザ内で厨芥の粉砕が開始される。このとき、厨芥は回転刃１０８に打撃されて形が崩されると同時に遠心力によりホッパ１０５の内壁へ飛ばされる。ここで厨芥は回転刃１０８と固定刃１０６とに挟まれる形になり次々に粉砕されていく。
【００１４】
細かく粉砕された厨芥は水と一緒に排水溝１１０に落ち込み、最も下流に位置する排水口１１１からディスポーザの外へ排出される。
【００１５】
【発明が解決しようとする課題】
しかしながら、上記のような従来の技術では、例えば厨芥中の大きな粉砕物であるグレープフルーツ、スイカ等がランナの上面とホッパーの内面に支えられて、破砕を行うべき回転刃の打撃を受けることなく残留するという課題がある。
【００１６】
そこで、本発明は、投入された処理物を確実に粉砕することのできるディスポーザを提供することを目的としている。
【００１７】
【課題を解決するための手段】
この課題を解決するために、本発明のディスポーザは、処理物が導入される投入口が形成された中空構造体と、中空構造体内に形成され、導入された処理物を粉砕する粉砕室と、粉砕室の下方に形成され、粉砕室から粉砕物が流入する粉砕物流入部と、粉砕室の底面を形成する底板と、粉砕室にまで至るシャフトが取り付けられたモータと、シャフトに取り付けられたランナと、ランナから上方に突出した回転刃取付部を介してランナに回動自在に取り付けられ、中空構造体の内壁に向けて延びた可撓性を有する回転刃と、ランナの基部から傾斜隆起して回転刃取付部部分まで伸びるスロープと、中空構造体の内壁から突出して固定され、回転刃と協働して処理物を粉砕する固定刃とを有する構成としたものである。
【００１８】
また、この課題を解決するために、本発明のディスポーザは、処理物が導入される投入口が形成された中空構造体と、中空構造体内に形成され、導入された処理物を粉砕する粉砕室と、粉砕室の下方に形成され、粉砕室から粉砕物が流入する粉砕物流入部と、粉砕室の底面を形成する底板と、粉砕室にまで至るシャフトが取り付けられたモータと、シャフトに取り付けられたランナと、ランナから上方に突出してランナに回動自在に取り付けられ、中空構造体の内壁に向けて延びた可撓性を有する回転刃と、ランナの基部から傾斜隆起して回転刃取付部部分まで伸びるスロープと、中空構造体の内壁から突出して固定され、回転刃と協働して処理物を粉砕する固定刃とを有する構成としたものである。
【００１９】
これにより、可撓性を有する回転刃の回転軌道空間に処理物が入り込むようになるので、大きな処理物も確実に打撃され、投入された処理物を確実に粉砕することが可能になる。また、スロープによって回転刃が保護されるので取り付け部の寿命が延びるとともに、回転刃と処理物との衝突によってモータがロックすることが防止されるという作用を有する。
【００２０】
【発明の実施の形態】
本発明の請求項１に記載の発明は、処理物が導入される投入口が形成された中空構造体と、中空構造体内に形成され、導入された処理物を粉砕する粉砕室と、粉砕室の下方に形成され、粉砕室から粉砕物が流入する粉砕物流入部と、粉砕室の底面を形成する底板と、粉砕室にまで至るシャフトが取り付けられたモータと、シャフトに取り付けられたランナと、ランナから上方に突出した回転刃取付部を介してランナに回動自在に取り付けられ、中空構造体の内壁に向けて延びた可撓性を有する回転刃と、ランナの基部から傾斜隆起して回転刃取付部部分まで伸びるスロープと、中空構造体の内壁から突出して固定され、回転刃と協働して処理物を粉砕する固定刃とを有するディスポーザであり、可撓性を有する回転刃の回転軌道空間に処理物が入り込むようになるので、大きな処理物も確実に打撃され、投入された処理物を確実に粉砕することが可能になるという作用を有する。
【００２１】
本発明の請求項２に記載の発明は、処理物が導入される投入口が形成された中空構造体と、中空構造体内に形成され、導入された処理物を粉砕する粉砕室と、粉砕室の下方に形成され、粉砕室から粉砕物が流入する粉砕物流入部と、粉砕室の底面を形成する底板と、粉砕室にまで至るシャフトが取り付けられたモータと、シャフトに取り付けられたランナと、ランナから上方に突出してランナに回動自在に取り付けられ、中空構造体の内壁に向けて延びた可撓性を有する回転刃と、ランナの基部から傾斜隆起して回転刃取付部部分まで伸びるスロープと、中空構造体の内壁から突出して固定され、回転刃と協働して処理物を粉砕する固定刃とを有するディスポーザであり、可撓性を有する回転刃の回転軌道空間に処理物が入り込むようになるので、大きな処理物も確実に打撃され、投入された処理物を確実に粉砕することが可能になるという作用を有する。
【００２２】
本発明の請求項３に記載の発明は、請求項１または２記載の発明において、ランナには、回転刃が所定量以上にシャフト方向へ回動することを阻止するガイドが設けられているディスポーザであり、回転刃が処理物から抵抗を受けたときにはガイドによって回転刃がほぼ同心円状に巻き付くため、回転軌道径から突出した部分がなくなってモータロックがなくなり、回転部分の寿命が延びるとともに粉砕初期におけるトルクを低減することができるという作用を有する。
【００２４】
本発明の請求項４に記載の発明は、請求項１〜３の何れか一項に記載の発明において、底板の周縁には複数の切り欠きが形成されているディスポーザであり、破砕刃と切り欠きとが協働することにより処理物を微粉砕することが可能になるという作用を有する。
【００２５】
以下、本発明の実施の形態について、図１から図４を用いて説明する。なお、これらの図面において同一の部材には同一の符号を付しており、また、重複した説明は省略されている。
【００２６】
（実施の形態１）
図１は本発明の実施の形態１によるディスポーザを示す断面図、図２は図１のディスポーザにおける粉砕部を示す斜視図である。
【００２７】
図１に示すディスポーザにおいて、略円筒形をしたホッパ（中空構造体）５内には、厨芥が粉砕される粉砕室２０が形成されている。そして、粉砕室２０の上方に開口して、厨芥が投入される投入口２２が設けられている。
【００２８】
投入口２２には、この投入口２２を開閉する蓋３が着脱自在に取り付けられている。なお、蓋３は、厨芥が飛び出さないようにするとともに水を通過させるための貫通孔（図示せず）が形成されている。
【００２９】
また、ディスポーザ本体の上端外周縁は、アダプタであるシンクフランジ２を介してシンク１の底に固定されて流し台に装着されている。そして、シンクフランジ２とディスポーザ本体との間には、このシンクフランジ２とディスポーザ本体とを接続するとともにディスポーザのシンク１に対する振動伝達を防止する緩衝ゴム４が設置されている。
【００３０】
粉砕室２０の下方には、ホッパ５に固定されたブラケット１４に包囲されるようにしてモータ１５が設置されている。モータ１５から上方に延びるシャフト１６は粉砕室２０の下部中央に突出している。そして、モータ１５のシャフト１６に固定されたランナ７には、モータ１５により回転される回転刃２１が粉砕室２０の壁面に向けて回動自在に取り付けられている。
【００３１】
この回転刃２１は、ランナ７から上方に突出して回転面の径方向に延びる回転刃取付部８と、ピン９を介して回転刃取付部８に回動自在に取り付けられローラチェーン１０と、ローラチェーン１０の先端に回動自在に取り付けられた破砕刃１１とから構成されている。したがって、このようなローラチェーン１０および破砕刃１１により回転刃２１は可撓性を有している。
【００３２】
また、ホッパ５の内壁面には固定刃６が突出して取り付けられている。したがって、回転刃２１と固定刃６とが協働して粉砕処理が行われる。
【００３３】
なお、回転刃２１の下方に位置して、粉砕室２０の底面を構成する底板１２が固定されている。この底板１２はその周縁に複数の切り欠きが形成されており、破砕刃１１と協働して処理物を微粉砕する。そして、前述したランナ７は、その上面が底板１２の上面と略同一の平面上に設置されている。
【００３４】
粉砕室２０とモータ１５との間には、粉砕室２０において粉砕された厨芥と水との混合物が流れ込む排水溝（粉砕物流入部）１３がブラケット１４に形成されている。そして、排水溝１３には、粉砕された厨芥を排出するための排水口（図示せず）が連通されている。
【００３５】
図２に示すように、ランナ７の中央部にはＨカットが施された孔１７が形成されている。そして、この孔１７に嵌合可能にＨカットされたシャフト１６の先端に孔１７が嵌合することにより、ランナ７がシャフト１６に取り付けられる。
【００３６】
ランナ７の基部には、この基部から周方向になだらかに傾斜隆起して回転刃取付部８に連続するスロープ１８、および回転刃２１が所定量以上にシャフト１６方向へ回動することを阻止するガイド１９が設けられている。そして、このガイド１９により、ローラチェーン１０が処理物などの抵抗により内側に飛ばされたときにローラチェーン１０と破砕刃１１がシャフト１６を中心としてほぼ同心円状に撓むようにガイドされる。
【００３７】
なお、スロープ１８やガイド１９はランナ７とは別体として作製し、ランナ７に溶接等で取り付けるようにしてもよい。また、ガイド１９は本実施の形態のように円弧状でなくともよく、たとえば間欠的に切り起こされたり、ピン等の突起物を複数個設置したものでもよい。
【００３８】
次に、以上のように構成された本実施の形態のディスポーザの動作について説明する。
【００３９】
先ず、ディスポーザの投入口２２の蓋３を外してホッパ５の中に厨芥を投入し、蓋３を投入口２２に装着する。
【００４０】
次に、水道の蛇口（図示せず）を開けて水を流しながらモータ１６を起動し、シャフト１５によりローラチェーン１０と破砕刃１１を回転状態にする。するとローラチェーン１０と破砕刃１１は遠心力によってホッパ５の内壁つまり粉砕室２０の内壁面と対向した状態となる。
【００４１】
投入された厨芥はローラチェーン１０によって打撃され、遠心力によって破砕刃１１と固定刃６の方へ飛ばされる。そして、厨芥は固定刃６と高速で回転する破砕刃１１との間で切断されて破砕される。さらに、近接した破砕刃１１と底板１２の周縁に設けられた切り欠きとの間で微粉砕される。
【００４２】
ここで、比較的大きな厨芥が投入されても、回転刃２１であるローラチェーン１０とその取付位置である回転刃取付部８とはランナ７の上方に位置しているので、それらが厨芥を必ず打撃することになり、厨芥物は確実に粉砕される。
【００４３】
なお、厨芥の打撃性を増したければ、ピン９をローラチェーン１０の上方に突出させる。ここで、ピン９の高さを互い違いにして突出させると、より打撃性が大きくなる。
【００４４】
また、回転刃取付部８に連続するスロープ１８によって回転刃取付部８が保護されるので取り付け部の寿命が延びるとともに、回転刃取付部８と処理物との衝突によってモータ１５がロックすることが防止される。
【００４５】
さらに、ローラチェーン１０と破砕刃１１が処理物から抵抗を受けたときには、ガイド１９によってそれらがほぼ同心円状に巻き付くため、回転軌道径から突出した部分がなくなってモータロックがなくなり、回転部分の寿命が延びるとともに粉砕初期におけるトルクを低減することができる。
【００４６】
以上のようにして細かく粉砕された厨芥は水と一緒に底板１２と粉砕室２０内壁との隙間から排水溝１３に流入し、排水口からディスポーザの外部へと排出される。
【００４７】
このように、本実施の形態のディスポーザによれば、可撓性を有する回転刃の回転軌道空間に処理物が入り込むようになるので、大きな処理物も確実に打撃され、投入された処理物を確実に粉砕することが可能になる。
【００４８】
（実施の形態２）
図３は本発明の実施の形態２によるディスポーザを示す断面図、図４は図３のディスポーザにおける粉砕部を示す斜視図である。
【００４９】
図３および図４に示すように、本実施の形態においては、前述した実施の形態１における図２にて詳しく示すような回転刃取付部８を備えていないため、ランナ７は略平面状となっている。したがって、ローラチェーン１０はピン９を介して直接ランナ７に回動自在に取り付けられた状態でランナ７から上方に突出している。
【００５０】
また、このように回転刃取付部８を備えていないことから、スロープ１８はランナ７の基部から周方向になだらかに傾斜隆起してピン９の上部付近まで伸びている。
【００５１】
次に、以上のように構成された本実施の形態のディスポーザの動作について説明する。
【００５２】
先ず、ディスポーザの投入口２２の蓋３を外してホッパ５の中に厨芥を投入し、蓋３を投入口２２に装着する。
【００５３】
次に、水道の蛇口（図示せず）を開けて水を流しながらモータ１５を起動し、シャフト１５によりローラチェーン１０と破砕刃１１を回転状態にする。するとローラチェーン１０と破砕刃１１は遠心力によってホッパ５の内壁つまり粉砕室２０の内壁面と対向した状態となる。
【００５４】
投入された厨芥はローラチェーン１０によって打撃され、遠心力によって破砕刃１１と固定刃６の方へ飛ばされる。そして、厨芥は固定刃６と高速で回転する破砕刃１１との間で切断されて破砕される。さらに、近接した破砕刃１１と底板１２の周縁に設けられた切り欠きとの間で微粉砕される。
【００５５】
ここで、比較的大きな厨芥が投入されても、回転刃２１であるローラチェーン１０はランナ７の上方に位置しているので、それらが厨芥を必ず打撃することになり、厨芥物は確実に粉砕される。
【００５６】
なお、厨芥の打撃性を増したければ、ピン９をローラチェーン１０の上方に突出させる。ここで、ピン９の高さを互い違いにして突出させると、より打撃性が大きくなる。
【００５７】
また、ピン９の上部付近まで伸びているスロープ１８によって回転刃取付部分が保護されるので取り付け部の寿命が延びるとともに、回転刃２１と処理物との衝突によってモータ１５がロックすることが防止される。
【００５８】
さらに、ローラチェーン１０と破砕刃１１が処理物から抵抗を受けたときには、ガイド１９によってそれらがほぼ同心円状に巻き付くため、回転軌道径から突出した部分がなくなってモータロックがなくなり、回転部分の寿命が延びるとともに粉砕初期におけるトルクを低減することができる。
【００５９】
以上のようにして細かく粉砕された厨芥は水と一緒に底板１２と粉砕室２０内壁との隙間から排水溝１３に流入し、排水口からディスポーザの外部へと排出される。
【００６０】
このように、本実施の形態のディスポーザによれば、可撓性を有する回転刃２１の回転軌道空間に処理物が入り込むようになるので、大きな処理物も確実に打撃され、投入された処理物を確実に粉砕することが可能になる。
【００６１】
【発明の効果】
以上のように、本発明によれば、可撓性を有する回転刃の回転軌道空間に処理物が入り込むようになるので、大きな処理物も確実に打撃され、投入された処理物を確実に粉砕することが可能になるという有効な効果が得られる。また、スロープによって回転刃が保護されるので取り付け部の寿命が延びるとともに、回転刃と処理物との衝突によってモータがロックすることが防止されるという有効な効果が得られる。
【００６２】
また、ランナにガイドを設ければ、回転刃が処理物から抵抗を受けたときにはガイドによって回転刃がほぼ同心円状に巻き付くため、回転軌道径から突出した部分がなくなってモータロックがなくなり、回転部分の寿命が延びるとともに粉砕初期におけるトルクを低減することができるという有効な効果が得られる。
【００６４】
そして、底板の周縁に切り欠きを形成すれば、破砕刃と切り欠きとが協働することにより処理物を微粉砕することが可能になるという有効な効果が得られる。
【図面の簡単な説明】
【図１】本発明の実施の形態１によるディスポーザを示す断面図
【図２】図１のディスポーザにおける粉砕部を示す斜視図
【図３】本発明の実施の形態２によるディスポーザを示す断面図
【図４】図３のディスポーザにおける粉砕部を示す斜視図
【図５】従来のディスポーザの構造を示す断面図
【符号の説明】
１  シンク
２  シンクフランジ
３  蓋
４  緩衝ゴム
５  ホッパ（中空構造体）
６  固定刃
７  ランナ
８  回転刃取付部
９  ピン
１０  ローラチェーン
１１  破砕刃
１２  底板
１３  排出溝（粉砕物流入部）
１５  モータ
１６  シャフト
１７  孔
１８  スロープ
１９  ガイド
２０  粉砕室
２１  回転刃
２２  投入口
【図１】
0004720011.tif 000002
【図２】
0004720011.tif 000003
【図３】
0004720011.tif 000004
【図４】
0004720011.tif 000005
【図５】
0004720011.tif 000006